(57)【要約】  本発明は、リフティングケーブルベースのホイスト、特にクレーンにおける荷重測定用の測定装置（１００）に関する。測定装置は、ホイストのリフティングケーブル（４）を偏向させる少なくとも１つのプーリー（１０１）と、その端にローラー軸を中心に回転可能であるようにプーリーが取り付けられかつケーブルループ（１０４）の形をした固定手段と、プーリーに入力される力を測定する少なくとも１つの測定手段（１０５）と、を有する。【選択図】図２
2021506700.tif 000002
【特許請求の範囲】
【請求項１】
ホイストロープベースのリフト装置、特にクレーンにおける荷重測定用の測定装置であて、
前記リフト装置の前記ホイストロープを偏向させる少なくとも１つの偏向プーリーと、
その端部で前記偏向プーリーがプーリー軸を中心に回転可能に支持される固定手段と、
前記偏向プーリーに入力される力を検出する少なくとも１つの測定手段と、を有する測定装置。
【請求項２】
請求項１に記載の測定装置において、
前記固定手段は、ループボディ、好ましくはロープループ、理想的にはプラスチックロープであることを特徴とする測定装置。
【請求項３】
請求項１又は２に記載の測定装置において、
前記測定手段は、吊りスケール、プラグゲージ、測定リングの少なくとも１つを備えるか、またはこれらの要素の１つによって形成されていることを特徴とする測定装置。
【請求項４】
請求項１〜３のいずれか１つに記載の測定装置において、
前記測定手段は、少なくとも１つの接続手段、特にロッカーアームによって、前記測定手段、特にループ本体と接続されていることを特徴とする測定装置。
【請求項５】
請求項１〜４のいずれか１つに記載の測定装置において、
少なくとも１つの位置センサ、特に角度発信器を更に有することを特徴とする測定装置。
【請求項６】
請求項１〜５のいずれか１つに記載の測定装置において、
前記測定手段が有線通信及び無線通信の少なくとも１つが可能となるように、受信部に測定データを送信する少なくとも１つの通信モジュールを更に有することを特徴とする測定装置。
【請求項７】
請求項１〜６のいずれか１つに記載の測定装置を有するリフト装置。
【請求項８】
請求項７に記載のリフト装置において、
前記測定装置は、前記リフト装置における少なくとも１つのプーリーに、前記固定手段、特にループ本体により吊されており、
前記リフト装置の前記ホイストロープは、前記測定装置の前記少なくとも１つの偏向プーリーにより偏向されることを特徴とするリフト装置。
【請求項９】
請求項８に記載のリフト装置において、
前記測定装置は、ブームシステムのプーリーヘッドの少なくとも１つの偏向プーリーで前記ループ本体によって吊り下げられ、
中央に配置された偏向プーリーは、プーリーヘッドの場合に前記測定装置を吊り下げていることを特徴とするリフト装置。
【請求項１０】
請求項７〜９のいずれか１つに記載のリフト装置において、
少なくとも１つの更なる負荷測定装置が配置されていることを特徴とするリフト装置。
【請求項１１】
請求項１０に記載のリフト装置において、
第２測定装置は、前記ホイストロープにおける第１測定装置とは異なる領域に固定されており、
前記測定装置の１つは、特に好ましくは、プーリーヘッドの複数回巻きの開始位置に配置される一方、他の測定装置は、複数回巻きの終端位置に設置されることを特徴とするリフト装置。
【請求項１２】
請求項１０に記載のリフト装置において、
少なくとも２つのホイストロープを備え、
少なくとも１つの、請求項１〜６のいずれか１つに記載の測定装置が、前記ホイストロープ毎に設けられていることを特徴とするリフト装置。
【請求項１３】
請求項７〜１２のいずれか１つに記載のリフト装置において、
前記測定装置は、有線通信を介してリフト装置の制御装置に接続され、及び／又は、リフト装置の電源を介して、電線により電気エネルギーが供給されることを特徴とするリフト装置。
【請求項１４】
請求項７又は８に記載のリフト装置において、
前記測定装置は、ホイストブロックに配置されていることを特徴とするリフト装置。
【請求項１５】
請求項７〜１４のいずれか１つに記載のリフト装置において、
制御装置は、前記測定装置によって測定された力を利用して、複数のリービングを有するロープラインの数を考慮しながら、負荷の重量を計算可能であることを特徴とするリフト装置。
【発明の詳細な説明】
【技術分野】
【０００１】
本発明は、ホイストロープベースのリフト装置において、荷重を測定する測定装置に関する。
【背景技術】
【０００２】
リフト装置、特にますます複雑になるクレーン制御を有するクレーンの自動化が進んでいることにより、荷重を正確に測定することがますます重要になっている。測定方法がより正確になれば、可能なペイロードの範囲をより有効に利用できるため、ペイロードを増やすことができる。
【０００３】
ラチスマストクレーンを使用した荷重測定は、これまでは、テンションロードセルを用いた支持力の測定によって行われていた。このとき、荷重は、ブームの形状を考慮しながら、これらの力を用いてクレーン制御部で計算されている。伸縮式クレーンでは、ラッフィングラム内の油圧が検出され、クレーンの形状を用いて荷重が計算される。
【０００４】
例えば、ホイストロープのアンカーポイントに取り付けられた測定手段により、リービング作業を介して荷重を計算するといった、ホイストロープの最後のロープラインのロープの引っ張りを測定するシステムも同様に存在する。最後のロープラインは、最後のローププーリーからホイストロープのアンカーポイントまで伸びている。システムはまた、最初のロープラインのロープの引っ張りを測定するものとして知られている。この観測におけるホイストロープの最初のラインは、ホイストウインチからブームシステムのブームヘッドトップシーブを通って、プーリーヘッドのローププーリーを経由して、フックブロックのローププーリーに到達している。
【０００５】
最終的に、市場では、測定システムが既にリフティングフックに統合されたシステムが知られている。
【発明の概要】
【発明が解決しようとする課題】
【０００６】
複数のリービングを有するホイストロープシステムでは、荷重測定の精度がホイストロープにおける測定装置の位置に依存する可能性があるという点で、先行技術による従来の解決策には大きな問題がある。しかしながら、ホイストロープにおける測定装置の最適位置は、例えば、荷物が上昇しているのか又は下降しているのかなど、荷物の移動に依存する。
【０００７】
図１ａ及び図１ｂは、複数のリービングにおける力の分散についての問題を簡潔に示したものである。静止状態において、荷物の重力は、全てのラインに均等に分かれる。しかしながら、上昇動作の間は、第１ラインに最大の力がかかり、ロープの番号が増えるにつれて力が減少する（図１ａ参照）。この状況は、荷物を下降させるときには完全に逆転する。すなわち、最大の力は最後のラインに存在するようになる（図１ｂを参照）。これは、荷物を上昇させる間又は下降させる間のローププーリーの摩擦が原因である。上昇動作の場合には、ロープライン１〜４は、ローププーリーの摩擦により余分に引っ張られる。一方で、下降動作の場合には、ロープライン１〜４は、ローププーリーの摩擦により軽減される。
【０００８】
本発明の目的は、前述の問題を考慮しながら、リフト装置における荷重測定を出来る限り正確に測定できる改良された測定装置を発見することにある。さらなる目的は、既存の機器を対応する測定装置で簡単かつ安価に改造することができるという要望を含む。
【課題を解決するための手段】
【０００９】
上記の目的は、請求項１の特徴を有する測定装置により達成される。測定装置の有品実施形態は、従属項の主題である。
【００１０】
ホイストロープベースのリフト装置における荷重検出用の測定装置が提案される。リフト装置としては、特にクレーンが挙げられる。しかしながら、ロープシステムによって対応する荷物が移動される他の作業機械又は建設機械でも測定装置を使用することが、一般に考えられる。
【００１１】
本発明において、測定装置は、荷重測定中にリフト装置のホイストロープに偏向を生じさせる働きをする偏向プーリーを含む。更に、その端部に偏向プーリーがプーリー軸周りに回転可能に支持される固定手段が設けられている。測定装置は、固定手段により既存の機械構造に簡単に取り付け、特に簡単に吊り下げられ得る。これにより、本発明に係る測定装置を有する既存のリフト装置を簡単に改良することができる。加えて、例えば、荷物の動きの種類に応じてそれぞれの最適な位置を利用できるようにするために、リフト装置における測定装置の正確な位置を特に簡単かつ迅速に変更することができる。
【００１２】
リフト装置の既存の構造に測定装置を設置するために、ホイストロープの偏向プーリーを乗り越えるようにホイストロープの範囲のみを変更する必要がある。偏向プーリーは、リフト装置の既存のプーリーを置き換えてもよいし、ホイストロープの範囲に追加の偏向プーリーとして配置してもよい。
【００１３】
偏向プーリーに入力される力を検出して、これを基に荷重を測定可能な少なくとも１つの測定手段が更に設けられている。
【００１４】
ループボディは、固定手段として特に有利であることが実証されており、ロープループの形態が理想的である。これにより、測定装置の設置が大幅に簡素化されるだけでなく、リフト装置の構造に対応する補足的な接続手段が必要ではないため、非常に柔軟であることが判明する。
【００１５】
より好ましい実施形態によると、測定装置は、既存のプーリーに吊り下げられている。特に、測定装置は、ループボディによりホイスト装置の偏向プーリーに吊り下げられている。すなわち、ループボディは、既存のプーリーの走行面の周りに配置されている。したがって、測定装置は、プーリーに吊り下げられて取り付けられる。これには、常に荷重の方向にそれ自体を調整することができるという利点がある。
【００１６】
理想的にはプラスチックロープで形成されたロープループが、特に適合可能である。プラスチックロープの柔軟性としなやかさにより、設置プロセスが容易になるだけでなく、リフトの高さの損失も出来る限り低く抑えることができる。これにより、測定装置の総重量も低減することができる。
【００１７】
種々の測定センサを測定手段として利用することができる。ここでは、例として、吊りスケール、プラグゲージ、測定リングのうちの少なくとも１つを参照する。測定手段は、これらの要素の１つにより完全に形成されていてもよいし、これらの要素の１つを含むものでもよい。
【００１８】
測定手段は、測定装置の偏向プーリーの少なくとも１つの接続手段又は固定手段の接続手段、特に測定装置のループボディの接続手段により固定される。ここでは、測定手段が測定装置のループボディに固定されるロッカーアームの使用が考えられる。
【００１９】
ループボディによりリフト装置の既存の偏向プーリーに測定装置を吊すことにより、測定装置を荷重の方向に自動的に調整することができるという利点が生じる。特定のクレーン用途やリフト作業では、垂直方向に対して荷重が偏向する場合がある。ここでは、２つの吊りフック又はウインチを巻き上げるリフト操作が例に挙げられる。この場合、追加のポジションセンサ、特に角度発信器を有する測定装置を備えることが考えられる。これにより、垂直方向に対する測定装置の向きが、測定の際及び測定信号の評価の際に考慮される。
【００２０】
例えば、リフト装置に入力されるトルクは、測定データを用いて検出及び補正され得る。
【００２１】
測定装置が、測定データを外部の受信ユニットに送信するための少なくとも１つの通信モジュールを備えていることは、測定データの提供のために適切に提供される。ここでは、リフト装置の機械制御部に測定データを送ることが考えられる。通信モジュールは、有線のデータ送信でも無線のデータ送信でもよい。通信モジュールは、両方の送信機構を備えていてもよい。
【００２２】
有線通信の場合、測定装置には、ハードワイヤの通信線の接続のために１つ又は複数の接続点が設けられる。無線通信の場合には、通信モジュールは、１つ又は複数の送信規格に基づくデータ送信のための１つ又は複数のアンテナを備える。
【００２３】
さらに、測定装置には、供給ラインに接続するためのエネルギー供給のための対応するインターフェースが設けられている。測定装置に、充電式バッテリーや交換可能なエネルギー源などの、少なくとも１つの内部エネルギー源を組み込むことも考えられる。
【００２４】
本発明に係る測定装置に加えて、本発明に係る測定装置を少なくとも１つ有するリフト装置、特にクレーンが要求される。本発明に係るリフト装置は、該リフト装置を参照して既に前述したものと同じ利点及び特性によって特徴付けられる。このため、再度の説明は省略する。
【００２５】
さらに、測定装置が、該測定装置の少なくとも１つの偏向プーリーにより偏向される、リフト装置のホイストロープを用いて、固定手段、特にループボディによって、リフト装置の少なくとも１つのプーリーに吊り下げられるということが提案される。前述したように、ここでは、測定装置の偏向プーリーはリフト装置の既存の偏向プーリーと置き換えるたり、ロープの範囲に追加で取り付けたりすることができる。測定装置がリフト装置のプーリーヘッドの偏向プーリーに配置されているときには、特に有利である。ホイストロープのロープの範囲における複数のリービングの場合には、測定装置がリービングの中央偏向プーリーに吊り下げられていると特に好ましい。この場合、計算による作用の程度の除去は不要である。
【００２６】
リフト装置が複数の荷重測定装置を有し、これらの荷重測定装置の少なくとも１つが本発明に係る測定装置により構成されている場合も同様に有利である。
【００２７】
複数のロープリービングの場合には、１つの測定装置がリービングの前側に配置されていて、少なくとも１つの第２の測定装置がリービングの端部に取り付けられていると、特に有利である。これにより、導入部で説明した作用の程度の問題が解消される。
【００２８】
有利には、少なくとも２つの測定装置が本発明に係る測定装置のように設計されている。しかしながら、設置された測定装置の少なくとも１つは、従来のロードセル又は引張ロードセルの形式でロープに柔軟に取り付けられている。
【００２９】
代わりの実施形態として、本発明に係るリフト装置は、平行ホイストロープ操作で機能する。すなわち、リフト装置は、複数のホイストロープを含み、オプションでそれぞれが別個のホイストウインチを有する。全てのホイストロープが少なくとも１つの測定装置を有する設計であるとき、特に、本発明に係る測定装置のような測定装置を有する設計であるときに、これが考えられる。
【００３０】
測定装置が、有線又は無線の通信を介してリフト装置の機械制御部と通信するときには、以下のデータ評価又は正確な荷重測定装置に好ましい。有利な実施形態によると、測定データの最終評価は、機械制御部で実行されるのみである。すなわち、正確な荷重計算は、機械制御部により実行される。しかしながら、この代わりに、荷重計算を測定装置自体に置き換えることもあり得る。
【００３１】
測定装置に、対応する供給ラインを介してリフト装置のエネルギー源により電気エネルギーが供給されることが、さらに考えられる。エネルギーの供給は、測定装置を機械構造のすぐ近くに配置しているので、リフト装置のプーリーヘッドの領域における測定装置の配置で特に簡単である。有線の通信接続の問題無しに使用できるため、リフト装置と測定装置との間の通信にも同じことが当てはまる。無線通信は、特に、板金を含んでいたり、鋼構造を備えたりするリフト装置の干渉を受けやすいことがあり得る。
【００３２】
プーリーヘッド又はリフト装置の構造に直接に測定装置を配置することが特に好ましい。しかしながら、フックブロックのリービングにおいて、本発明に係る測定装置を展開する可能性も同様に存在する。しかしながら、これに関連して、機械制御部との通信のために十分なパフォーマンスレベルと代替エネルギー供給を見つける必要がある。
【００３３】
リフト装置の機械制御部は、有利には、測定装置によって測定された力を使用して、ホイストロープの範囲を考慮しながら、取り上げられた荷重の大きさを決定するのに適している。オプションとして、リフト装置の構造パラメータを計算に入れ込むことができる。特にロープラインの数は、複数のリービングを有するロープの範囲を考慮する際に考慮される。
【００３４】
測定装置が、位置センサ、特に角度センサをオプションで備えるときには、これらの測定量もまた、機械制御部による荷重計算に利用される。
【００３５】
本発明の更なる利点や特性は、図面により詳細に示される実施形態を参照して、以下により詳細に説明される。
【図面の簡単な説明】
【００３６】
【図１ａ】上昇プロセスの間における個々のロープラインでの力分布を示す概略図である。
【図１ｂ】下降プロセスの間における個々のロープラインでの力分布を示す概略図である。
【図２】本発明に係る測定装置の透視側面図である。
【図３】測定装置が搭載された本発明に係るクレーンの、フライブーム無しのプーリーヘッドを示す図である。
【図４】測定装置が搭載された本発明に係るクレーンのロープ範囲を示す概略図である。
【図５】測定装置が搭載された本発明に係るクレーンの、フライブーム無しのブームチップを示す拡大図である。
【図６】本発明に係るクレーンの更なる実施形態であって、左側に斜めの引きが無く、右側に斜めの引きがある吊り上げフックを２つ示す図である。
【発明を実施するための形態】
【００３７】
本発明に係る測定装置１００は、図２に詳細に示されている。測定装置１００は、本発明に係るクレーン（図３）のプーリーヘッド１０２に取り付けられた偏向プーリーの代わりに、クレーンのホイストロープ４を偏向させるように適合された偏向プーリー１０１を有する。これにより、あらゆるリービングの位置で測定装置を使用することができる。
【００３８】
測定装置１００を有するホイストロープ４の概略的なロープ範囲は、図４から容易に認識することができる。ここでホイストロープ４は、ホイストウインチからブーム先端まで延びて、そこでブームヘッドのトップシーブ２上からプーリーヘッド１０２へと導かれている。ホイストロープ４の複数のリービングは、プーリーヘッド１０２とフックブロックとの間に存在していて、プーリーヘッド１０２及びフックブロックの領域に、それぞれ４つの偏向プーリーを提供している。図４に示す実施形態において、プーリーヘッド１０２の最後から２番目の偏向プーリーは、例えば、ロープ範囲から取り出され、代わりに本発明に係る測定装置１００の吊り手段として機能する。ホイストロープ４は、代わりに、測定装置１００に取り付けられた偏向プーリー１０１を経由してフックブロックまで戻るように延びている。ブーム先端の詳細な表示は図３及び図５で見ることができる。
【００３９】
測定装置１００は、プーリーヘッド１０２の偏向プーリーの周りに配置されたロープループ１０４によりプーリーヘッド１０２の偏向プーリーに固定されている。ロープループは、好ましくはプラスチックロープで形成されている。２つのループ端部は、ロッカーアーム１０６を介して測定装置１００と接続されている。ロープループ１０４により測定装置１００が柔軟に吊り下げられることで、測定装置が荷重を受ける方向に自動的に調整されることが確保される。
【００４０】
偏向プーリー１０１及び関連するプーリー支持部は、測定手段１０５を介してロッカーアームに接続されており、これにより、ホイストロープ４により偏向プーリー１０１に入力される力は、測定手段１０５により検出される。測定手段１０５は、例えば、吊りスケール、プラグゲージ、又は測定リングであってもよい。図示した実施形態においては、プラグゲージが用いられている。
【００４１】
所謂作動の度合いの問題を取り除くために、図３〜図５に示すように、測定装置１００に加えて、プーリーヘッド１０２に同様に導入される第２の測定装置を使用することができる。この場合、１つの測定装置１００をリービングにおける出来る限り前方に取り付け、さらなる測定装置１００をリービングにおける出来る限り後方に取り付けることは意味がある。第２の測定装置は、従来の測定装置の形態、例えば、単純なロードセルやロープのアンカーポイント９の領域のプラグゲージで設計されていてもよい。
【００４２】
測定データは、有線通信を介してクレーン制御部に転送される。測定装置のエネルギー供給は、供給ラインを介して、クレーンの中央エネルギー源から実行される。少なくとも１つの測定装置１００は、そのデータをクレーン制御部に送る。オプションとして、追加の従来のテンションロードセルは、そのデータをクレーン制御部に送る。クレーン制御部は、プーリーヘッド１０２とフックブロック１０３との間のロープの数及び測定された力を用いて荷重の大きさを計算する。最も単純な場合は、線形関係が仮定され得る。
【００４３】
図５は、２つの吊りフックと２つのウインチ（２つのフック動作）を有するクレーンの実施形態を示す。クレーンタワーの上部にある水平の上下動可能なブームの切換点にあるホイストロープ４が１つだけ示されている。複数のホイストロープの併行操作により、吊りフックが、垂直に位置合わせされた場所から、それに対して旋回した位置に移動することが起こり得る。しかしながら、これに関連して、吊りフックの特定の配置が、荷重の計算で考慮されることが必要である。角度発信器１１０が測定装置１００に追加で取り付けられていれば、この場合に対応できる。すなわち、垂直方向に対する荷重の傾きが決定されて、クレーン制御部に送信される。これにより、クレーンに入力されているトルクが、これらのデータにより検出されかつ補正される。本発明に係る測定装置１００又は本発明に係るクレーンの利点は、以下に簡潔に要約することができる。
【００４４】
本発明に係る測定装置１００の形態の解決策は、クレーン又はリフト装置の既存のローププーリーに特に簡単に取り付けることができるため、既存のクレーン又はリフト装置を特に簡単に改造することを可能にする。本発明において、フックの荷重の測定は、ホイストロープ４のロープの引っ張りを介して実行される。ライン数により、比較的小さな力に対して必要な測定要素１０５は１つだけであり、リービングでのスケーリングは自動的に行われる。本発明に係る解決策は、有利には、２つのホイストロープ及び２つのウインチを有する操作機構にも使用され得る。ここでは、各測定装置１００は、両方のホイストロープのラインに存在する。すなわち、各ホイストロープのそれぞれの力は既知であり、制御部は、ウインチの駆動を補正することにより、両方の巻上ロープで力をほぼ同じに維持することが可能である。これにより、ボトムのフックブロックの不適切な傾斜が防止される。
【００４５】
本発明の更なる利点は、測定装置１００の取り付け時に同じままであるロープのたわみの数を含み、これによりホイストロープ４はそれ以上の摩耗を受けない。ラジオなどの長距離の信号の送信は、ロープのアンカーポイントがボトムのフックブロックにあるときでさえ、測定装置１０００は常にブームヘッド１０２に取り付けられているため不要である。力が比較的小さいため、標準の測定手段１０５を使用することができ、それにより測定ユニットを非常に安価にできる。ボトムのフックブロック１０３及び追加の重量を含む、プーリーヘッド１０に吊り下げられる合計重量は、測定装置１００により検出することができる。
【図１ａ】
2021506700.tif 000003
【図１ｂ】
2021506700.tif 000004
【図２】
2021506700.tif 000005
【図３】
2021506700.tif 000006
【図４】
2021506700.tif 000007
【図５】
2021506700.tif 000008
【図６】
2021506700.tif 000009
【国際調査報告】
2021506700.tif 000010
2021506700.tif 000011
2021506700.tif 000012
2021506700.tif 000013
2021506700.tif 000014